(57)【特許請求の範囲】
【請求項１】
ディジタルデータをシンボル時間にわたって互いに直交する複数のサブキャリアにマッピングして変調し、光ファイバを介して光信号で送信する光送信器と、
該光ファイバを伝播した光信号を光電変換し、各サブキャリア信号を復調して元のディジタルデータを再生する光受信器と
を備え、
前記光送信器は、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で光源からの光を位相変調して送信する位相変調器と
を有し、
前記光受信器は、
該光ファイバを介して前記光送信器から入力される前記位相変調が印加された光信号を、強度変調が印加された２つの光信号に変換する遅延干渉部と、
該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する光通信システム。
【請求項２】
前記遅延干渉部の遅延時間τと送信される光の中心周波数ｆｃとが、略２πｆｃτ＝２ｎπ±π／２（ｎは整数）なる関係を満たすことを特徴とする請求項１に記載の光通信システム。
【請求項３】
前記遅延干渉部の遅延時間τとＯＦＤＭ信号の中心周波数ｆｓが、略２πｆｓτ＝ｎπ／２（ｎは正の奇数）なる関係を満たすことを特徴とする請求項２に記載の光通信システム。
【請求項４】
ＯＦＤＭ信号の中心周波数ｆｓとＯＦＤＭ信号の帯域幅Ｂが、略ｆｓ＞１．５Ｂなる関係を満たすことを特徴とする請求項１乃至３のいずれかに記載の光通信システム。
【請求項５】
前記光受信器は、
前記２つの受信信号前処理部からの各サブキャリア信号に対して、光ファイバの波長分散による位相回転をキャンセルして前記引き算部に出力する２つの位相回転部をさらに備える請求項１乃至４のいずれかに記載の光通信システム。
【請求項６】
前記２つの位相回転部は、印加する位相回転の符号が互いに逆である請求項５に記載の光通信システム。
【請求項７】
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成し、該実ベースバンドＯＦＤＭ信号で光源からの光を位相変調して送信する光送信器と、光ファイバを伝播した光信号を光電変換し、各サブキャリア信号を復調して元のディジタルデータを再生する光受信器とを備えた光通信システムにおける前記光受信器であって、
該光受信器は、
光ファイバを介して前記光送信器から入力される前記位相変調が印加された光信号を、強度変調が印加された２つの光信号に変換する遅延干渉部と、
該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を備えた前記光受信器。
【請求項８】
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部、及び
該実ベースバンドＯＦＤＭ信号で光源からの光を位相変調して送信する位相変調器
を有する送信部と、
光ファイバから入力される位相変調が印加された光信号を、強度変調が印加された２つの光信号に変換する遅延干渉部、
該強度変調が印加された２つの光信号を電気信号に変換する２つの光−電気変換部と、
前記２つの光−電気変換部の出力をそれぞれアナログ−ディジタル変換する２つのＡ／Ｄ変換部、
前記２つのＡ／Ｄ変換部の出力から位相をそれぞれ抽出する２つの位相抽出部、
前記２つの位相抽出部の出力をそれぞれ高速フーリエ変換し各サブキャリア信号を得る２つの受信信号前処理部、
前記２つの受信信号前処理部の出力であるサブキャリア信号のうち同じ周波数のサブキャリア信号同士をそれぞれ引き算する引き算部、及び、
前記引き算部のサブキャリア毎の出力からデータを復調し、復調したデータから元のディジタルデータを再生するする受信信号後処理部
を有する受信部と
を備えた光トランスポンダ。
【請求項９】
波長の異なる複数の光信号を波長多重した波長多重光信号を送信する波長多重送信装置と、
光ファイバを介して受信した該波長多重光信号を各波長に分波し、該分波された各光信号を受信する波長多重受信装置と
を備えた波長多重光通信システムであって、
前記波長多重送信装置は、
複数の光送信器と、
該複数の光送信器の出力光を合波し波長多重光信号を出力する光合波器と
を有し、
該複数の光送信器はそれぞれ、
互いに波長の異なる光源と、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で前記光源からの光を位相変調して出力する位相変調器と
を有し、
前記波長多重受信装置は、
前記光ファイバを介して前記波長多重送信装置から受信した該波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する前記波長多重光通信システム。
【請求項１０】
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成し、該実ベースバンドＯＦＤＭ信号で光源からの光を位相変調する複数の光送信器からの出力光を合波し波長多重光信号を送信する波長多重送信装置と、光ファイバを介して受信した該波長多重光信号を各波長に分波し、該分波された各光信号を受信する波長多重受信装置とを備えた波長多重光通信システムにおける前記波長多重受信装置であって、
該波長多重受信装置は、
前記光ファイバを介して前記波長多重送信装置から受信した該波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を備えた前記波長多重受信装置。
【請求項１１】
波長多重送信部と、波長多重受信部とを備えた波長多重光トランスポンダであって、
前記波長多重送信部は、
複数の光送信器と、
該複数の光送信器の出力光を合波し波長多重光信号を光ファイバに出力する光合波器と
を有し、
該複数の光送信器はそれぞれ、
互いに波長の異なる光源と、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で前記光源からの光を位相変調して出力する位相変調器と
を有し、
前記波長多重受信部は、
光ファイバを介して受信した波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する前記波長多重光トランスポンダ。
【請求項１２】
ディジタルデータをシンボル時間にわたって互いに直交する複数のサブキャリアにマッピングして変調し、光ファイバを介して光信号で送信する光送信器と、
該光ファイバを伝播した光信号を光電変換し、各サブキャリア信号を復調して元のディジタルデータを再生する光受信器と
を備え、
前記光送信器は、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で光源からの光を位相変調して送信する位相変調器と
を有し、
前記光受信器は、
該光ファイバを介して前記光送信器から入力される前記位相変調が印加された光信号を、強度変調が印加された２つの光信号に変換する遅延干渉部と、
光信号を電気信号に変換する光−電気変換部と、
変換された電気信号をアナログ−ディジタル変換するＡ／Ｄ変換部と、
前記Ａ／Ｄ変換部で変換された信号の位相成分を抽出する位相抽出部と、
抽出された位相成分を高速フーリエ変換し各サブキャリア信号を得る受信信号前処理部と、
サブキャリア毎のデータを復調し、復調したデータから元のディジタルデータを再生するする受信信号後処理部と、
前記受信信号後処理部の処理より前において、前記遅延干渉部からの２つの光信号に対応する２つの信号同士を引き算する引き算部と
を有する光通信システム。
【請求項１３】
前記光受信器は、
前記光−電気変換部と、前記Ａ／Ｄ変換部と、前記位相抽出部をそれぞれ２つ備え、
２つの前記光−電気変換部は、前記遅延干渉部からの２つの光信号をそれぞれ電気信号に変換し、
２つの前記Ａ／Ｄ変換部はそれぞれ、２つの前記光−電気変換部の出力をそれぞれアナログ−ディジタル変換し、
２つの前記位相抽出部は、２つの前記Ａ／Ｄ変換部の出力からそれぞれ位相成分を抽出し、
前記引き算部が、２つの前記位相抽出部の出力同士を引き算して前記受信信号前処理部に出力する請求項１２に記載の光通信システム。
【請求項１４】
前記光受信器は、
前記光−電気変換部と、前記Ａ／Ｄ変換部をそれぞれ２つ備え、
２つの前記光−電気変換部は、前記遅延干渉部からの２つの光信号をそれぞれ電気信号に変換し、
２つの前記Ａ／Ｄ変換部はそれぞれ、２つの前記光−電気変換部の出力をそれぞれアナログ−ディジタル変換し、
前記引き算部が、２つの前記Ａ／Ｄ変換部の出力同士を引き算して前記位相抽出部に出力する請求項１２に記載の光通信システム。
【請求項１５】
前記光受信器は、
前記光−電気変換部と前記引き算部とを含む光フロントエンド部の内部で、前記遅延干渉部からの２つの出力信号に対応する信号同士を引き算する請求項１２に記載の光通信システム。
【発明の詳細な説明】
【技術分野】
【０００１】
本発明は、光ＯＦＤＭ通信システム、光受信器、光トランスポンダ、波長多重光通信システム、波長多重受信装置及び波長多重光トランスポンダに係り、特に、マルチキャリアを用いた光通信システム等に関し、より具体的には、光ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、直交周波数分割多重）通信システムにおいてＰＡＰＲ（Ｐｅａｋ−ｔｏ−Ａｖｅｒａｇｅ  Ｐｏｗｅｒ  Ｒａｔｉｏ、ピーク電力対平均電力比）を低減する光通信システム等に関する。
【背景技術】
【０００２】
今まで実用化されてきた光通信システムは、光の強度を用いた２値の変復調技術を適用している。具体的には、送信側でディジタル情報の「０」と「１」を光の強度のオン−オフに変換して光ファイバに送信し、光ファイバを伝播した光は受信側で光電変換されてもとの情報を復元している。近年、インターネットの爆発的普及に伴い、光通信システムに要求される通信容量は飛躍的に伸びている。通信容量の大容量化の要請に対して今までは、光のオン−オフする速度、つまり変調速度を上昇させることで対応してきた。しかしながら、この変調速度を上昇させて大容量化を実現するという手法では一般に、次に述べる課題がある。【０００３】
変調速度を上昇させると、光ファイバの波長分散によって制限される伝送可能な距離は短くなる、という課題がある。一般に波長分散によって制限される伝送距離はビットレートの二乗で短くなる。つまり、ビットレートが２倍になると、波長分散により制限される伝送距離は１／４になる。同様に変調速度を上昇させると、光ファイバの偏波分散により制限される伝送可能な距離が短くなる、という課題もある。一般にビットレートが２倍になると、偏波分散によって制限される伝送距離は１／２になる。波長分散の影響を具体的に示すと、ビットレートが１０Ｇｂｐｓで通常分散ファイバを用いると波長分散で制限される伝送距離は６０ｋｍであるが、ビットレートが４０Ｇｂｐｓのシステムになると、其の距離はおよそ４ｋｍと短くなる。さらに次世代の１００Ｇｂｐｓシステムの場合は波長分散によって制限される伝送距離は０．６ｋｍとなり、このままでは、伝送距離が５００ｋｍ程度の幹線光通信システムを実現することはできない。超高速な幹線光通信システムを構築するために現在は、伝送路の波長分散を打ち消すために負の波長分散を持ったいわゆる分散補償ファイバという特殊な光ファイバを中継器や送受信機に設置している。この特殊ファイバは高価であり、また送受信機や光中継器内部に設置する分散補償ファイバの量を決定する高度な設計が必要になり、これら両者が光通信システムの価格を押し上げている。【０００４】
そこで最近、通信容量を増加させる光変復調方式として、ＯＦＤＭ技術を用いた光通信システムの研究が脚光を浴びている。ＯＦＤＭ技術は、１シンボル時間内で互いに直交する、つまり１シンボル時間の逆数の整数倍の周波数を持つ、多数の正弦波（これをサブキャリアと呼ぶ）のそれぞれの振幅と位相を所定の値に設定することによって情報を乗せ（変調し）、これらのサブキャリアを束ねた信号でキャリアを変調し送信する技術である。このＯＦＤＭ技術は、電話局と家庭の間で通信するＶＤＳＬ（Ｖｅｒｙ  ｈｉｇｈ  ｂｉｔ  ｒａｔｅ  Ｄｉｇｉｔａｌ  Ｓｕｂｓｃｒｉｂｅｒ  Ｌｉｎｅ）システムや、家庭内での電力線通信システム、さらには地上波ディジタルＴＶシステムで用いられ、実用化されている。さらには次世代の携帯電話システムでも用いられる予定である。【０００５】
光ＯＦＤＭ通信システムは、光をキャリアとしてＯＦＤＭ技術を適用した通信システムである。ＯＦＤＭ技術では、前述のように多数のサブキャリアを用いており、さらにおのおののサブキャリアの変調方式は、例えば、４−ＱＡＭ、８−ＰＳＫ、あるいは１６−ＱＡＭなど多値変調方式が適用可能なため、１シンボル時間がビットレートの逆数より非常に長くなる。その結果として前述の波長分散や偏波分散によって制限される伝送距離が、光通信システムで想定される伝送距離（例えば、国内の幹線システムでは５００ｋｍ）より十分長くなり、前述の分散補償ファイバが不要となる。その結果、低コスト光通信システムが実現できる可能性がある。【０００６】
図１７に、直接検波方式を用いた従来の光ＯＦＤＭ通信システムの構成図を示す。
光送信器５００と直接検波光受信器６００は光ファイバ３で接続されている。本来通信すべきデータが入力端子４より光送信器５００に入力すると、光送信器５００の内部の送信信号処理部１００でベースバンドＯＦＤＭ信号に変換され、この信号はドライバアンプ１０で増幅される。レーザ１２からの光をこの信号で光変調器５０１により電界変調あるいは強度変調することによって光が生成される。この光ＯＦＤＭ信号は伝送路である光ファイバ３を通って直接検波光受信器６００に到達する。光ＯＦＤＭ信号はフォトダイオード２０１で直接検波受信されて電気信号に変換される。この電気信号は理想的には前述のベースバンドＯＦＤＭ信号であり、この信号はプリアンプ２０２で増幅され、Ａ／Ｄ変換部２０６でディジタル信号に変換され、その出力は受信信号前処理部２２０でサブキャリアに変換され、その後受信信号後処理部２４０で本来通信すべきデータに復調されて出力端子５より出力される。【０００７】
図２に、送信信号処理部１００の機能構成図を示す。図３に、受信信号前処理部２２０の機能構成図を示す。図４に、受信信号後処理部２４０の機能構成図を示す。
通信すべきデータは、まずシリアル−パラレル（Ｓ／Ｐ）変換部１１０で２Ｎ個のパラレルデータに変換される。ここでＮはデータを乗せるサブキャリアの本数である。サブキャリアの変調が４−ＱＡＭの場合は２Ｎ個のパラレルデータであるが、これが例えば１６−ＱＡＭの場合は４Ｎ個となる。つまりシリアルデータは、「１シンボルのビット数×サブキャリアの本数」個のパラレルデータに変換する。サブキャリア変調部１２０は、このパラレルデータを用いてＮ本のサブキャリアに変調をかける。この変調されたサブキャリアは逆ＦＦＴ（逆高速フーリエ変換）部１３０で時間軸のデータに変換され、パラレル−シリアル（Ｐ／Ｓ）変換部１４０でシリアルデータに変換される。このシリアルデータはディジタルーアナログ（Ｄ／Ａ）変換部１５０を通過してアナログ信号としてドライバアンプへ信号を送出する。【０００８】
受信信号前処理部２２０では、ディジタル化された受信電気信号はシリアルーパラレル（Ｓ／Ｐ）変換部２１２でＮ本のパラレルデータに変換される。これらのパラレルデータはＦＦＴ（高速フーリエ変換）部２１３においてＮ本のサブキャリア信号に分離される。受信信号後処理部２４０では、サブキャリア復調部２４１にて各サブキャリアに乗っているデータが復調され、パラレル−シリアル（Ｐ／Ｓ）変換部２４２にてシリアルデータに変換され、情報データとして出力される。【０００９】
光通信システムにおいても無線通信システムにおいても、ＯＦＤＭ信号のＰＡＰＲ（ピーク電力対平均電力比）が大きい点が課題となる。無線通信の場合は、送信アンテナを駆動するパワアンプの線形性が悪い場合、ピーク電力時に信号が歪み、受信感度劣化、あるいは信号スペクトルの広がりによる隣接無線チャネルへの干渉を引き起こす。【００１０】
光通信システムでは、無線通信システムとは異なる光ファイバ通信固有の、ＰＡＰＲが大きい事に起因する課題がある。それはピーク電力が大きい時刻で光の位相が他の時刻の位相より余計に回転する非線形位相回転という現象である。これは、伝送路である光ファイバが弱い非線形性を示す事に起因する現象である。光ファイバの持つ非線形光学効果、所謂Ｋｅｒｒ効果は次式で記述できる。
【数１】
0005404925.tif 000002
ここで、φ（ｔ）は光の瞬時位相、φ０は線形位相、φＮＬ（ｔ）は非線形位相、γは光ファイバの非線形定数、αは光ファイバの損失係数、Ｐ（ｔ）は光パワ、Ｐａｖｅは平均光パワ、ＰＡＰＲ（ｔ）は各時刻でのピーク対平均電力比（ＰＡＰＲ）をそれぞれ表す。なお、数式中斜字で示す記号は、便宜上本明細書中においては通常の書式で示す。この式からわかるように、光の非線形位相はＰＡＰＲに比例して回転する。
単一波長の光を用いた光通信システムでは、信号自身のピークパワによって位相回転が起こり（自己位相変調効果）、これが波長分散によって波形ひずみを引き起こし、誤り率を増加させる。また、波長多重光通信システムでは、隣接波長の信号のピークパワによって位相回転が誘起され（相互位相変調効果）、自己位相変調効果と同様に誤り率を増加させる。これらの位相回転は、ＯＦＤＭ信号のサブキャリアの位相回転を引き起こす。より正確に述べると、平均パワによって決まる固定の位相回転の周りにＰＡＰＲに応じたランダムな位相回転が誘起される。このランダムな位相回転が、シンボル判定の閾値を越えるとそのシンボルは誤りと判定される。例えばサブキャリアの変調をＱＰＳＫとすると、理想シンボル点から±π／４位相回転が起こるとシンボル判定を誤る。したがって、ＰＡＰＲを極力小さく抑えた信号を用いて光伝送を行うことが誤り率を低減する観点で重要である。【００１１】
無線伝送システムではＰＡＰＲ低減化技術は数々提案されており、主なものとしては、例えば、（１）ハードリミッタで強制的にＰＡＰＲをある一定値以下に保ちながらフィルタで隣接無線チャネルへのスペクトルの干渉を抑制する、（２）サブキャリアへのデータのマッピング（つまり変調）を複数回試しＰＡＰＲが少ない変調を選択する、（３）プリコーディング（トレリス符号化など）を用いて冗長性を持たせ、これによってＰＡＰＲが小さな信号を生成する、などがある。非特許文献１にはこれらの方式の原理、長所と欠点がまとめて記載されている。また、非特許文献２に記載されているように、最近位相変調を用い無線信号の包絡線を一定に保つ（ＰＡＰＲ＝０ｄＢ）方式の検討も行われている。【００１２】
これらのＰＡＰＲ低減策を光ＯＦＤＭ通信システムに適用した研究も、すでに発表されている（非特許文献３、４）。さらに特開２００９−１８８５１０号公報（特許文献１）では、上述の位相変調を用いて包絡線を一定に保つ光ＯＦＤＭ通信システムも考案されている。
なお、ＩＱ変調、直接検波、コヒーレント検波、遅延検波等について開示された文献がある（例えば、特許文献２−５等参照）。
【先行技術文献】
【特許文献】
【００１３】
【特許文献１】特開２００９−１８８５１０号公報
【特許文献２】特開２００８−２１１７１３号公報
【特許文献３】特開２００９−１８８５０９号公報
【特許文献４】特開２００８−１３５９９２号公報
【特許文献５】特開平１１−３３１０８９号公報
【非特許文献】
【００１４】
【非特許文献１】Ｓ．Ｈ．Ｈａｎ、  ａｎｄ  Ｊ．Ｈ．Ｌｅｅ、「Ａｎ  Ｏｖｅｒ  ｖｉｅｗ  ｏｆ  Ｐｅａｋ−ｔｏ−Ａｖｅｒａｇｅ  Ｐｏｗｅｒ  Ｒａｔｉｏ  Ｒｅｄｕｃｔｉｏｎ  Ｔｅｃｈｎｉｑｕｅｓ  ｆｏｒ  Ｍｕｌｔｉｃａｒｒｉｅｒ  Ｔｒａｎｓｍｉｓｓｉｏｎ」、ＩＥＥＥ  Ｗｉｒｅｌｅｓｓ  Ｃｏｍｍｕｎｉｃａｔｉｏｎｓ、Ａｐｒｉｌ  ２００５、  ｐｐ．５６−６５
【非特許文献２】Ｓ．Ｃ．Ｔｈｏｍｐｓｏｎ、Ａ．Ｕ．Ａｈｍｅｄ、ａｎｄ  Ｊ．Ｇ．Ｐｒｏａｋｉｓ、ｅｔ  ａｌ、「Ｃｏｎｓｔａｎｔ  Ｅｎｖｅｌｏｐ  ＯＦＤＭ」、ＩＥＥＥ  Ｔｒａｎｓａｃｔｉｏｎｓｏｎ  Ｃｏｍｍｕｎｉｃａｔｉｏｎｓ、Ｖｏｌ．５６、Ｎｏ．８、Ａｕｇｕｓｔ  ２００８、ｐｐ．１３００−１３１２
【非特許文献３】Ｂ．Ｇｏｅｂｅｌ、Ｓ．Ｈｅｌｌｅｒｂｒａｎｄ、Ｎ．Ｈａｕｆｅ、ｅｔ  ａｌ、「ＰＡＰＲ  Ｒｅｄｕｃｔｉｏｎ  Ｔｅｃｈｎｉｑｕｅｓ  ｆｏｒ  Ｃｏｈｅｒｅｎｔ  Ｏｐｔｉｃａｌ  ＯＦＤＭ  Ｔｒａｎｓｍｉｓｓｉｏｎ」、ＩＣＴＯＮ２００９、Ｍｏ．Ｂ２．４、２００９
【非特許文献４】Ｂ．Ｇｏｅｂｅｌ、Ｓ．Ｈｅｌｌｅｒｂｒａｎｄ、Ｎ．Ｈａｕｆｅ、ｅｔ  ａｌ、「Ｎｏｎｌｉｎｅａｒ  Ｌｉｍｉｔｓ  ｆｏｒ  Ｈｉｇｈ  Ｂｉｔ−ＲａｔｅＯ−ＯＦＤＭ  Ｓｙｓｔｅｍｓ」、ＩＥＥＥ  Ｓｕｍｍｅｒ  Ｔｏｐｉｃａｌ  Ｍｅｅｔｉｎｇ２００９、ＭＣ４．２、２００９
【発明の概要】
【発明が解決しようとする課題】
【００１５】
非特許文献３、４に記述されている対策を用いた場合、ＰＡＰＲは６ｄＢ以上であり従来のＯＯＫを用いた光通信システムよりＰＡＰＲは大きく、効果は限定的である。また特開２００９−１８８５１０号公報の技術では、受信方式がコヒーレント受信方式に限定されており、直接検波受信方式と比較して光受信器構成が４倍で受信信号処理部も複雑となり、したがって直接検波受信方式より高コストな通信システムとなる。
また、光伝送において、直接検波をする場合、光の電界の絶対値の２乗の電流を受信器で取り出すことになるので、一般に位相情報が失われる。このため、無線伝送システムにおけるＰＡＰＲ低減化技術をそのまま適用することが困難である。【００１６】
本発明は、以上の点に鑑みてなされたものであり、光ＯＦＤＭ通信システムにおいて、伝送路内部での光電力が大きい箇所でそのＰＡＰＲが従来の光通信システムのＰＡＰＲより小さく、かつ直接検波受信方式にも適用できる光通信システム、光受信器、光トランスポンダ、波長多重光通信システム、波長多重受信装置及び波長多重光トランスポンダを提供することを目的とする。本発明は、ＰＡＰＲが３ｄＢより小さい通信システム等を提供することを目的とする。
【課題を解決するための手段】
【００１７】
本発明では、光の位相をベースバンドＯＦＤＭ信号で変調し、この光を光ファイバで伝送した後、遅延干渉計で２つの強度変調光に変換し、その２つの光をそれぞれ光−電気変換し、得られた２つの電気信号をそれぞれＡ／Ｄ変換した後ＦＦＴで各サブキャリアに戻し、同じ周波数のサブキャリア同士で引き算を行い、引き算の結果得られたサブキャリアを復調してデータを復元する。【００１８】
本発明の第１の解決手段よると、
ディジタルデータをシンボル時間にわたって互いに直交する複数のサブキャリアにマッピングして変調し、光ファイバを介して光信号で送信する光送信器と、
該光ファイバを伝播した光信号を光電変換し、各サブキャリア信号を復調して元のディジタルデータを再生する光受信器と
を備え、
前記光送信器は、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で光源からの光を位相変調して送信する位相変調器と
を有し、
前記光受信器は、
該光ファイバを介して前記光送信器から入力される前記位相変調が印加された光信号を、強度変調が印加された２つの光信号に変換する遅延干渉部と、
該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する光通信システムが提供される。
【００１９】
本発明の第２の解決手段によると、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成し、該実ベースバンドＯＦＤＭ信号で光源からの光を位相変調して送信する光送信器と、光ファイバを伝播した光信号を光電変換し、各サブキャリア信号を復調して元のディジタルデータを再生する光受信器とを備えた光通信システムにおける前記光受信器であって、
該光受信器は、
光ファイバを介して前記光送信器から入力される前記位相変調が印加された光信号を、強度変調が印加された２つの光信号に変換する遅延干渉部と、
該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を備えた前記光受信器が提供される。
【００２０】
本発明の第３の解決手段によると、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部、及び
該実ベースバンドＯＦＤＭ信号で光源からの光を位相変調して送信する位相変調器
を有する送信部と、
光ファイバから入力される位相変調が印加された光信号を、強度変調が印加された２つの光信号に変換する遅延干渉部、
該強度変調が印加された２つの光信号を電気信号に変換する２つの光−電気変換部と、
前記２つの光−電気変換部の出力をそれぞれアナログ−ディジタル変換する２つのＡ／Ｄ変換部、
前記２つのＡ／Ｄ変換部の出力から位相をそれぞれ抽出する２つの位相抽出部、
前記２つの位相抽出部の出力をそれぞれ高速フーリエ変換し各サブキャリア信号を得る２つの受信信号前処理部、
前記２つの受信信号前処理部の出力であるサブキャリア信号のうち同じ周波数のサブキャリア信号同士をそれぞれ引き算する引き算部、及び、
前記引き算部のサブキャリア毎の出力からデータを復調し、復調したデータから元のディジタルデータを再生するする受信信号後処理部
を有する受信部と
を備えた光トランスポンダが提供される。【００２１】
本発明の第４の解決手段によると、
波長の異なる複数の光信号を波長多重した波長多重光信号を送信する波長多重送信装置と、
光ファイバを介して受信した該波長多重光信号を各波長に分波し、該分波された各光信号を受信する波長多重受信装置と
を備えた波長多重光通信システムであって、
前記波長多重送信装置は、
複数の光送信器と、
該複数の光送信器の出力光を合波し波長多重光信号を出力する光合波器と
を有し、
該複数の光送信器はそれぞれ、
互いに波長の異なる光源と、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で前記光源からの光を位相変調して出力する位相変調器と
を有し、
前記波長多重受信装置は、
前記光ファイバを介して前記波長多重送信装置から受信した該波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する前記波長多重光通信システムが提供される。
【００２２】
本発明の第５の解決手段によると、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成し、該実ベースバンドＯＦＤＭ信号で光源からの光を位相変調する複数の光送信器からの出力光を合波し波長多重光信号を送信する波長多重送信装置と、光ファイバを介して受信した該波長多重光信号を各波長に分波し、該分波された各光信号を受信する波長多重受信装置とを備えた波長多重光通信システムにおける前記波長多重受信装置であって、
該波長多重受信装置は、
前記光ファイバを介して前記波長多重送信装置から受信した該波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を備えた前記波長多重受信装置が提供される。
【００２３】
本発明の第６の解決手段によると、
波長多重送信部と、波長多重受信部とを備えた波長多重光トランスポンダであって、
前記波長多重送信部は、
複数の光送信器と、
該複数の光送信器の出力光を合波し波長多重光信号を光ファイバに出力する光合波器と
を有し、
該複数の光送信器はそれぞれ、
互いに波長の異なる光源と、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で前記光源からの光を位相変調して出力する位相変調器と
を有し、
前記波長多重受信部は、
光ファイバを介して受信した波長多重光信号を、強度変調が印加された２つの波長多重光信号に変換する遅延干渉部と、
該強度変調が印加された２つの波長多重光信号をそれぞれ波長毎の光信号に分波する２つの光分波器と、
分波された光信号のうち同一の波長の２つの光信号をそれぞれ入力する複数の光受信器と
を有し、
該複数の光受信器はそれぞれ、
各波長の該強度変調が印加された２つの光信号を電気信号に変換する２つの光−電気変換部と、
前記２つの光−電気変換部の出力をそれぞれアナログ−ディジタル変換する２つのＡ／Ｄ変換部と、
前記２つのＡ／Ｄ変換部の出力から位相をそれぞれ抽出する２つの位相抽出部と、
前記２つの位相抽出部の出力をそれぞれ高速フーリエ変換し各サブキャリア信号を得る２つの受信信号前処理部と、
前記２つの受信信号前処理部の出力であるサブキャリア信号のうち同じ周波数のサブキャリア信号同士をそれぞれ引き算する引き算部と、
前記引き算部のサブキャリア毎の出力からデータを復調し、復調したデータから元のディジタルデータを再生するする受信信号後処理部と
を有する前記波長多重光トランスポンダが提供される。
【００２４】
本発明の第７の解決手段によると、
ディジタルデータをシンボル時間にわたって互いに直交する複数のサブキャリアにマッピングして変調し、光ファイバを介して光信号で送信する光送信器と、
該光ファイバを伝播した光信号を光電変換し、各サブキャリア信号を復調して元のディジタルデータを再生する光受信器と
を備え、
前記光送信器は、
ディジタルデータをシンボル時間にわたって互いに直交する複数のサブキャリアにマッピングして変調し、変調された該サブキャリア信号を逆高速フーリエ変換して実ベースバンドＯＦＤＭ信号を生成する送信信号処理部と、
該実ベースバンドＯＦＤＭ信号で光源からの光を位相変調して送信する位相変調器と
を有し、
前記光受信器は、
該光ファイバを介して前記光送信器から入力される前記位相変調が印加された光信号を、強度変調が印加された２つの光信号に変換する遅延干渉部と、
光信号を電気信号に変換する光−電気変換部と、
変換された電気信号をアナログ−ディジタル変換するＡ／Ｄ変換部と、
前記Ａ／Ｄ変換部で変換された信号の位相成分を抽出する位相抽出部と、
抽出された位相成分を高速フーリエ変換し各サブキャリア信号を得る受信信号前処理部と、
サブキャリア毎のデータを復調し、復調したデータから元のディジタルデータを再生するする受信信号後処理部と、
前記受信信号後処理部の処理より前において、前記遅延干渉部からの２つの光信号に対応する２つの信号同士を引き算する引き算部と
を有する光通信システムが提供される。
【発明の効果】
【００２５】
本発明によると、光ＯＦＤＭ通信システムにおいて、光ファイバ伝送路内部の光電力が高い箇所で、つまり光送信器直後や光ファイバ増幅器直後の光ファイバ伝送路で、ＰＡＰＲの値をほぼ０ｄＢにすることができ、光ファイバの非線形性に起因した受信感度劣化を低減できる光ＯＦＤＭ通信システム及び光送光受信器を提供することができる。また、ＰＡＰＲを小さくできることにより、長距離伝送が可能な光ＯＦＤＭ通信システム及び光送光受信器を提供することができる。さらに本発明では、直接検波受信方式を用いているため、コヒーレント受信方式と比較して構成が簡単で、したがって低コストは通信システム及ぶ光そう受信器を提供することができる。
【図面の簡単な説明】
【００２６】
【図１】本発明の光通信システムの機能ブロック図。
【図２】本発明の送信信号処理部の機能ブロック図。
【図３】本発明の受信信号前処理部の機能ブロック図。
【図４】本発明の受信信号後処理部の機能ブロック図。
【図５】遅延干渉部の構成図。
【図６】第二の実施形態を示す光通信システムの機能ブロック図。
【図７】第三の実施形態を示す光通信システムの機能ブロック図。
【図８】第四の実施形態を示す光通信システムの機能ブロック図。
【図９】光フロントエンド部の機能ブロック図。
【図１０】第五の実施の形態を示す光通信システムの機能ブロック図。
【図１１】光位相変調ＯＦＤＭ信号のスペクトルの模式図。
【図１２】本発明の光位相変調ＯＦＤＭ信号のスペクトルの模式図。
【図１３】遅延干渉部の２つの出力ポートのパワーと光周波数の関係を表す模式図。
【図１４】本発明の場合の光電流のスペクトルを表す模式図。
【図１５】第六の実施の形態を示す光トランスポンダの機能ブロック図。
【図１６】第七の実施の形態を示す波長多重通信システムの機能ブロック図。
【図１７】従来の光ＯＦＤＭ通信システムの機能ブロック図。
【図１８】波長多重通信システムの機能ブロック図。
【発明を実施するための形態】
【００２７】
１．原理及び概要
図１を用いて本実施の形態の原理を説明する。
本発明の光通信システムは、光送信器１と光受信器２は光ファイバ３で接続されている。光送信器１内部の送信信号処理部１００では、入力端４から入力された通信するデータを、ベースバンド実ＯＦＤＭ信号に変換する。ここで送信信号処理部１００の構成は図２に示すものを用いることができる。
実数のベースバンドＯＦＤＭ信号を生成するためには、複素ＯＦＤＭ信号の実部、あるいは虚部を用いるか、サブキャリアへのマッピングを負の周波数成分が正の周波数成分の複素共役になるように工夫する必要がある。例えば、複素ＯＦＤＭ信号の実部を用いる場合を例に挙げると、ベースバンドＯＦＤＭ信号は次式で表せる。
【数２】
0005404925.tif 000003
ここで、Ｃｋはデータ（信号空間座標。例えばサブキャリア変調が４−ＱＰＳＫの場合なら±１±ｉの４点）を表す。またＮはサブキャリア数、Δｆはサブキャリア周波数間隔、ｔは時間、φｋは信号点の位相、つまり
【数３】
0005404925.tif 000004
であり、Ｔｓは１シンボル時間を表す。
【００２８】
この実ＯＦＤＭ信号は、光送信器内部のドライバアンプ１０で増幅され、光位相変調器１１を駆動する。その結果、レーザ（光源）１２からの周波数ｆＣの光は上記ＯＦＤＭ信号によって光位相変調器１１で位相変調され、光送信器１から光ファイバ３に送信される。この送信信号光の電界は次式で表現できる。
【数４】
0005404925.tif 000005
ここで、ｈは位相変調の変調度、Ｐ０は光の平均パワである。
この光のパワＰ（ｔ）は、式（２）の２乗をキャリア周期に渡って時間平均することによって、
【数５】
0005404925.tif 000006
と求まる。つまり、この光のＰＡＰＲは０ｄＢである。
【００２９】
この光信号は、伝送路である光ファイバ３を伝播し、光受信器２に入射する。光受信器２は遅延干渉部２０とバランス型光受信部２００を備える。光受信器２では、遅延干渉部２０を通過する事によって、位相変調された光は強度変調された２つの光に変換される。この２つの強度変調された光は、２つのフォトダイオード２０１と２０３で電気信号にそれぞれ変換される。この２つの電気信号は次式で表される。
【数６】
0005404925.tif 000007
【数７】
0005404925.tif 000008
ここでτは、遅延干渉部２０の遅延時間を表す。この遅延時間τと光のキャリア周波数ｆｃの間に
【数８】
0005404925.tif 000009
なる関係が成り立つようにτとｆｃを設定する。図１３にこの関係が成立した場合の遅延干渉部２０の透過特性と光の周波数の関係を示す。
上記２つの電気信号はそれぞれ次式で表現できる。
【数９】
0005404925.tif 000010
【数１０】
0005404925.tif 000011
なお、式（７）と（８）において、±の上の符号はｍが偶数の場合、下の符号はｍが奇数の場合である。
【００３０】
ここで、サブキャリア周波数と遅延干渉部２０の遅延時間τの間に次の関係が成立する場合を考える。
【数１１】
0005404925.tif 000012
この場合、次の近似が成り立つ。
【数１２】
0005404925.tif 000013
つまり電気信号（７）と（８）の位相は、ベースバンドＯＦＤＭ信号（１）の各サブキャリア成分を位相π／４だけ回転させた信号であることがわかる。
そこで、両方の電気信号の交流成分をそれぞれＡ／Ｄ変換部２０５と２０６でＡ／Ｄ変換し、それぞれを位相抽出部２０７と２０８に通してｓｉｎ関数の位相を検出する。すると実ベースバンドＯＦＤＭ信号と同じ（厳密には位相がπ／４だけ回転した）信号が得られる。後は、実ＯＦＤＭ信号の受信前処理部２１０と２２０でそれぞれサブキャリア成分に分解し、同じ周波数のサブキャリア同士の引き算を引き算部２３０で行う。式（７）と（８）を見てわかるように、サブキャリアは互いに逆符号なので、この引き算によって振幅は２倍になる。その後は、通常のＯＦＤＭ信号受信後処理部２４０を通過し復元した情報であるシリアルデータとして端子５から出力する。
以上がこの発明の基本動作原理である。本発明では、ＰＡＰＲが０ｄＢの信号を用いてＯＦＤＭ信号を光ファイバ通信できる。
【００３１】
なお、式（７）と（８）を見てわかるように、どちらか一方の電気信号からもＯＦＤＭ信号を取り出すことができるが、その場合、光信号を半分捨てていることになり、引き算回路による信号振幅の２倍化の効果は得られない。
【００３２】
また、式（９）の関係はすべてのサブキャリアに対して厳密に成立することは無いが、例えば図１２のようなスペクトル配置を実現できると、すべてのサブキャリアが式（９）の関係を近似的に満たすことができる。つまり、ＯＦＤＭ信号の帯域幅をＢ、光ＯＦＤＭ信号の中心周波数をｆｃ＋ｆＳとすると、
【数１３】
0005404925.tif 000014
を満たし、さらに
【数１４】
0005404925.tif 000015
を満足すると式（９）の関係はほぼすべてのサブキャリアで実現できる。
例えば、光のキャリア周波数ｆｃは標準などにより決められているため、予め定められたキャリアの周波数ｆｃから式（６）を用いて遅延時間τを求めて遅延干渉部２０に予め設定することができる。また、求められた遅延時間τから式（１１）、（１２）を用いて光ＯＦＤＭ信号の中心周波数ｆｓや帯域幅Ｂを求めることができる。
【００３３】
図１２のスペクトル配置では、すなわち式（１１）と（１２）が満足される場合は、光電変換で発生するサブキャリア間のビート信号とキャリアとサブキャリア間のビート信号（これが本来必要とする信号）との干渉を避けることができ、高感度受信が実現できる。
【００３４】
２．第１の実施の形態
図１等を参照して第１の実施の形態を説明する。ここでは説明のためサブキャリアの変調は４−ＱＡＭと仮定するが、本実施の形態はこれに制限されるものではなく、任意のサブキャリア変調方式に対して適用可能である。またサブキャリアの本数はＮ本（Ｎは１以上の整数）とする。
【００３５】
図１に、光ＯＦＤＭ通信システムの構成図を示す。
光ＯＦＤＭ通信システムは、例えば、光送信器１と、光ファイバ３と、光受信器２を備える。光送信器１は、例えば、送信信号処理部１００と、ドライバアンプ１０と光の位相変調器１１と、レーザ光源１２とを有する。光送信器１は、入力端子４を備えてもよい。光受信器２は、遅延干渉部２０と、バランス型光受信部２００とを有する。光受信器２は、出力端子５を備えてもよい。光送信器１と光受信器２は、光ファイバ３を介して接続される。
【００３６】
図２は、第１の実施の形態における送信信号処理部１００の構成図を示す。
送信信号処理部１００は、例えば、シリアルーパラレル（Ｓ／Ｐ）変換部１１０と、サブキャリア変調部１２０と、逆ＦＦＴ部（逆高速フーリエ変換部）１３０と、パラレルーシリアル（Ｐ／Ｓ）変換部１４０と、ディジタルーアナログ（Ｄ／Ａ）変換部１５０を備える。なお、Ｐ／Ｓ変換部１４０とＤ／Ａ変換部１５０の間にサイクリックプリフィックス挿入（ＣＰＩ）部を設けても良いのはいうまでもない。
【００３７】
本来通信すべきデータは、Ｓ／Ｐ変換部１１０で２Ｎ個のパラレルデータに変換される。サブキャリア変調部１２０は、このパラレルデータを用いてＮ本のサブキャリアに変調をかける。この変調されたサブキャリア（Ｃｋ、ｋ＝０、１、・・・Ｎ−１）は逆ＦＦＴ部１３０に入力される。入力された信号は、逆ＦＦＴ部１３０で時間軸のデータに変換され、Ｐ／Ｓ変換部１４０でシリアルデータに変換される。このシリアルデータはＤ／Ａ変換部１５０を通過してアナログ信号として出力される。この信号をベースバンドＯＦＤＭ信号と呼ぶ。
【００３８】
本実施の形態では、このベースバンドＯＦＤＭ信号を用いて光の位相変調を行うため、このベースバンドＯＦＤＭ信号は実数でなければならない。実数のＯＦＤＭ信号（以下実ＯＦＤＭ信号）を生成するためには、複素ＯＦＤＭ信号の実部、あるいは虚部を用いるか、負の周波数成分が正の周波数成分の複素共役になるようにサブキャリアへのマッピングする必要がある。例としてここでは実部を用いる方式を述べる。この場合は、例えば、図２のＰ／Ｓ変換部１４０とＤ／Ａ変換部１５０の間で実部を取り出す処理を行う。得られた実ＯＦＤＭ信号は式（１）で表現できる。
【００３９】
図１のレーザ１２の出力光は、位相変調器１１において、上述の実ＯＦＤＭ信号で位相変調され、光ファイバ３に出射される。位相変調器１１は例えばＬｉＮｂＯ３（ニオブ酸リチウム）基板上に作成した光導波路での電気光学効果を利用したデバイスが良く知られている。また、いわゆるＭＺ（Ｍａｃｈ  Ｚｅｈｎｄｅｒ）変調器や光ＩＱ変調器なども利用できる。
【００４０】
光送信器１の出力光、すなわち送信光の電界は、式（２）で表現できる。すでに式（３）で示したように、この送信光のＰＡＰＲは理論上０ｄＢである。
以下の説明では見通しを良くするため、小信号近似を用いる。この場合、式（２）の送信光の電界は、次式で近似できる。
【数１５】
0005404925.tif 000016
この式（１３）から、送信光は、キャリア光（右辺第一項）とサブキャリア信号で構成される上側帯波（右辺第二項）と下側帯波（右辺第三項）から構成されているのがわかる。この送信光のスペクトルを図１１に示す。この図では各サブキャリアの周波数とｋの関係がわかるように図示している。図１１から、小信号近似の下では、送信光は、ベースバンドＯＦＤＭ信号を光のキャリア周波数ｆｃへ周波数変換したスペクトルを持つことが理解できる。また、側帯波の占める周波数帯域Ｂは
【数１６】
0005404925.tif 000017
で現せる。
【００４１】
この位相変調された送信光は、伝送路である光ファイバ３を通って光受信器２に入射する。光伝送路は、図１では光ファイバ３となっているが、長距離通信の場合、光ファイバが持つ損失を補償するため、適切な距離、たとえば６０ｋｍから８０ｋｍごとに光ファイバ増幅器を用いる。また、長距離通信では、光ファイバ３の持つ波長分散を補償するため、光ファイバ増幅器とともに波長分散補償ファイバを用いることもある。以下では、通信距離が短いシステム、あるいは、波長分散補償が行われている長距離通信システムの場合について説明を続け、光ファイバの波長分散の影響については、その後で記述する。
【００４２】
さて、光受信器２は遅延干渉部２０とバランス型光受信部２００を備える。図５に遅延干渉部２０の基本構成を示す。入力ポートから入射した光は、光カプラ部２１で２分岐され、一方の光信号は他方の光信号と比較して予め定められた遅延時間τだけ遅延がかけられる。その後、２つの光信号は光カプラ部２２で合波され、２つの出力ポート１と２から出力される。この遅延干渉部２０は、光ファイバと光カプラ２台で構成することができる。また、ガラス導波路や半導体導波路を用いたいわゆるＰＬＣ（Ｐｌａｎａｒ  Ｌｉｇｈｔｗａｖｅ  Ｃｉｒｃｕｉｔ）デバイスとして実現されている。さらには、空間光学系を用いたデバイスとしても実現されている。
【００４３】
この遅延干渉部２０の２つの出力ポートの光パワは図１３のように互いに逆相の正弦波形状として表せる。出力パワのピークとピークの周波数間隔は遅延干渉部２０の遅延時間の逆数、すなわち１／τである。より正確には２つの出力ポートからの光パワは
【数１７】
0005404925.tif 000018
なる周波数依存性を示す。
【００４４】
さて、送信光の中心周波数、すなわちキャリア光の光周波数ｆｃと遅延時間τの間に式（６）の関係が成立するようの遅延干渉部２０の遅延時間を調整する。遅延時間を調整する具体的手段としては例えば、図５の遅延干渉部の光カプラ部２１で２分岐された光の一方の光導波路にヒータを設置し、このヒータに電流を流して光導波路の等価屈折率を変化させて干渉位相を調整する、などがある。この時のキャリア周波数ｆｃと遅延干渉部の透過特性の関係が図１３示されている。すなわち、式（６）の関係が成り立つと、出力ポート１と２からキャリア光はＰ０／２ずつ出力される。
【００４５】
次に、送信光の側帯波の中心周波数ｆｃ±ｆＳ（＋は上側帯波、−は下側帯波）、帯域幅をＢとすると、式（１１）と（１２）がほぼ成立するとする。この状態の光のスペクトルを図１２に示す。また、遅延干渉部２０の透過特性と周波数ｆＳの関係を図１３に示す。なお、図中ｆｓ＝ｆｍである。図１２と図１３から、式（１１）と（１２）がほぼ成立する場合、上側帯波は出力ポート２からほぼ完全に出力され、一方、下側帯波は出力ポート１からほぼ完全に出力される。つまり、出力ポート１からは下側帯波と半分のパワのキャリア光が出力され、出力ポート２からは上側帯波と半分のパワのキャリア光が出力される。なお、上記の説明は、式（６）でｍが偶数の場合であり、ｍが奇数の場合は、出力ポート１と２の記述が逆になる。
【００４６】
図１２のスペクトルを実現する方法としては、例えば次の手段がある。すでに式（１３）と図１１で示したように、一般に位相変調された送信光はキャリア光と周波数変換されたＯＦＤＭ信号の側帯波から構成されている。ここで光送信器１の送信側信号処理部１００で、ｃｋ＝０（ｋ＝０、１、・・・、ｑ−１）となるようにサブキャリアへのデータマッピングを行う。つまり０番目からｑ−１番目までのサブキャリアの変調を行なわず、送信するデータは、残りのｑ番目からＮ−１番目までのサブキャリアを変調して通信する、というゼロパディングという操作を行う。すると、送信光のスペクトルは図１２となる。この場合、０からｑ−１番目のサブキャリアが占める周波数領域はガードバンドとなる。また、側帯波の中心周波数ｆｃ±ｆＳは、
【数１８】
0005404925.tif 000019
で表せる。また側帯波の帯域幅Ｂは、
【数１９】
0005404925.tif 000020
となる。
【００４７】
さて、図１２と図１３の関係がほぼ成立した場合、遅延干渉部２０の２つの出力ポートからは、それぞれキャリア光と上側帯波、キャリア光と下側帯波が出力される。これらの光は強度変調がかかった光となっている。つまり、式（１１）と（１２）がほぼ成立する場合、式（１３）の送信光は遅延干渉部２０を通過して出力ポートから次の光となって出力される。
【数２０】
0005404925.tif 000021
【数２１】
0005404925.tif 000022
ここで、式の中の±の符号は、ｍが偶数の場合は上を、奇数の場合は下を取る。
【００４８】
これらの光は、フォトダイオード２０１と２０３でそれぞれ光電流に変換される。この光電流は、次式で表現できる。
【数２２】
0005404925.tif 000023
【数２３】
0005404925.tif 000024
なお、式（１６）と（１７）において、±の上の符号はｍが偶数の場合、下の符号はｍが奇数の場合に用いる。また、Ｒは光電変換効率である。Ｋ１は次式で与えられる。
【数２４】
0005404925.tif 000025
Ｋ１はサブキャリア間のビート信号である。条件（１２）が成り立つと、このキャリアビート信号の周波数成分はＤＣ近傍に集中する。その様子を図１４に示す。図１４は光電流Ｉ１とＩ２のスペクトルである。この図からわかるように、もし、条件（１２）が成り立たない場合は、サブキャリア間ビート信号がＯＦＤＭ信号に重なり干渉を起こして、符号誤り率を劣化させることになる。条件（１２）が成立すると、サブキャリア間ビート信号Ｋ１と本来受信すべきＯＦＤＭ信号は完全に周波数軸上で分離できる。分離方法としては、例えば、サブキャリア間ビート信号を遮断する高域通過フィルタを用いるか、あるいは、このまま信号処理を行って、ＦＦＴでサブキャリアに分解し、サブキャリア間ビート信号Ｋ１が存在する低域のサブキャリアを以後の信号処理で使用しない、という方法等を用いることができる。Ｋ１の項は上記のいずれかの手段で排除できるので以後の議論では無視する。すると式（１６）と（１７）から光電流はベースバンドＯＦＤＭ信号（１）を含んだ電気信号であることがわかる。
【００４９】
式（１６）と（１７）は、小信号近似の場合であり、すでに述べたように大信号ではこれらの式は、それぞれ次式で表現できる。
【数２５】
0005404925.tif 000026
【数２６】
0005404925.tif 000027
これらの式からわかるように、ベースバンドＯＦＤＭ信号（１）は光電流Ｉ１とＩ２の交流成分のｓｉｎ関数の位相に含まれている。
この電気信号の交流成分はプリアンプ部２０２、２０４で増幅され、Ａ／Ｄ変換部２０５、２０６でディジタル信号に変換され、その後、ｓｉｎ関数の位相を取り出す位相抽出部２０７、２０８に渡される。ここでは、ｓｉｎ関数の位相を取り出す信号処理を行うが、その実装としては実際にＡｒｃｓｉｎの演算を行っても良いし、あるいはルックアップテーブルを用いても良い。この出力は式（１９）と（２０）のｓｉｎ関数の位相部であり、つまりベースバンドＯＦＤＭ信号（１）そのものになっている。この信号は、後段の受信信号前処理部２１０、２２０部にそれぞれ引き渡される。受信信号前処理部２１０、２２０では、それぞれの電気信号をＳ／Ｐ変換を行い、ＦＴＴ処理を施して各サブキャリア信号を抽出する。受信信号前処理部２１０、２２０の構成は図３に示すものを用いることができる。通常のＯＦＤＭ信号用の信号処理構成を用いることができる。もちろん、送信側でサイクリックプリフィックスを使用した場合は、Ｓ／Ｐ変換２１２の直前でサイクリックプリフィックスを取り除く処理を行うのは言うまでもない。
【００５０】
さて、受信信号前処理部２１０、２２０の出力であるサブキャリア信号は、引き算部２３０で同じ周波数のサブキャリア信号同士の差分を取る。これによって、光の上側帯波成分と下側帯波成分が加算されて、信号エネルギーが有効に利用され、感度劣化を防ぐことができる。これは、式（１９）と（２０）を見ると、光電流Ｉ１とＩ２の交流成分の符号が反転していることからも理解できる。この引き算部２３０の出力は、受信信号後処理部２４０に入力され、復調されてシリアルデータとして出力端子５から出力される。受信信号後処理部２４０の構成は図４に示すものを用いることができ、通常のＯＦＤＭ信号の信号処理構成を用いることができる。
【００５１】
なお、本実施の形態で用いるベースバンドＯＦＤＭ信号は、すでに述べたように実ＯＦＤＭ信号である。この実ＯＦＤＭ信号の受信側で用いる信号処理では、Ａ／Ｄ変換部２０５、２０６でサンプリングする場合、サンプリング間隔は、通常の半分のＴｓ／（２・Ｎ）に設定すると良いことは良く知られている。この場合、得られる信号はオーバーサンプリングされた信号となり、±πを超えた位相の巻き戻しも行うことができる。
【００５２】
さて、以上の本実施の形態の説明は、光ファイバの波長分散が無視できる大きさの場合について行ったものである。これは、通信距離が短いシステムの場合か、あるいは伝送路の光ファイバとして分散シフトファイバを用いたシステムの場合か、あるいは、分散補償デバイスを用いて伝送路の光ファイバの波長分散をほぼキャンセルしたシステムの場合について当てはまる。
【００５３】
（変形例）
この波長分散の影響が無視できるシステムの場合、光電流は式（１９）と（２０）で与えられるが、これらの式を見ると、上記の実施形態のように各サブキャリアに分解してから同一の周波数のサブキャリア同士で引き算をしなくとも、それ以前の段階で光電流成分同士の引き算を行う実施形態がある。
例えば、図６は、ｓｉｎ関数の位相を取り出す位相抽出部２０７、２０８の出力の段階で引き算を行った場合の実施形態である。図７は、Ａ／Ｄ変換部２０５、２０６の出力で引き算を行った実施形態である。さらに、図８は、光フロントエンド部２０９の内部で引き算を行った実施形態である。この光フロントエンド部２０９の構造の例を図９の（ａ）、あるいは（ｂ）、あるいは（ｃ）に示す。図９の（ａ）では、プリアンプ部２０２と２０４の出力を引き算している。また図９の（ｂ）ではプリアンプとして差動形のプリアンプ２０４−１を用いて光電流の引き算を実施している。また図９の（ｃ）ではバランス型フォトダイオード２０１−１を用いて引き算を実施している。
【００５４】
次に、光ファイバの波長分散が無視できないシステムの場合について以下の簡単に述べる。説明の見通しを良くするため、再度、小信号近似を用いて説明する。この場合送信光の電界は、式（１３）でわかるように、キャリア光とＯＦＤＭ信号のサブキャリアからなる上／下側帯波から構成される。光ファイバの波長分散が大きい場合は、各サブキャリアの位相が波長分散によって位相回転を受ける。この位相回転量は、光のキャリア周波数ｆｃと各サブキャリアの周波数ｆｃ±Δｆ・ｋとの周波数差±Δｆ・ｋの二乗に比例する。つまり、波長分散による位相回転量は、次式となる。
【数２７】
0005404925.tif 000028
ここでβ２は伝播定数の角周波数に関する２階微分で、光ファイバの波長分散を表し、Ｌは光ファイバの長さである。注意すべき点は、この位相回転量は各サブキャリア毎に（つまりｋ毎に）異なった値をとることと、上側帯波と下側帯波の同一のｋのサブキャリアは同じ量の位相回転を受けることである。
【００５５】
この波長分散による位相回転を考慮すると、位相変調された送信光（１３）が光ファイバ３を伝播して光受信器２に到達した光の電界は次式で表せる。
【数２８】
0005404925.tif 000029
この光を遅延干渉部２０に入射させると、出力ポート１と２からの光を受信した場合の光電流Ｉ１とＩ２は、条件（１１）と（１２）がほぼ成立する場合は、次式で表せる。
【数２９】
0005404925.tif 000030
【数３０】
0005404925.tif 000031
ここで、式の中の±の符号は、ｍが偶数の場合は上を、奇数の場合は下を取る。またｈ２に比例する項は省略した。
以上の議論は小信号近似の下での議論であるが、大信号の場合は光電流Ｉ１とＩ２は次のように近似できる。
【数３１】
0005404925.tif 000032
【数３２】
0005404925.tif 000033
この光電流を波長分散が無い場合と同様にサブキャリアごとに減算すると、分散による位相回転の符号が逆のため、ある周波数のサブキャリアでは互いに打ち消しあう場合が起こりえる。したがって波長分散が無視できないシステムでは、波長分散による位相回転をサブキャリア毎にキャンセルしてから、減算を行う構成が有効である。その構成を図１０に示す。この図で位相回転部２５０、２６０がサブキャリア毎の波長分散による位相回転θｋをキャンセルする信号処理部であり、各位相回転部２５０と２６０で印加する位相回転は互いに符号が逆である。
【００５６】
２．第２の実施の形態
第２の実施の形態である光トランスポンダを図１５を参照して説明する。この光トランスポンダはひとつの筐体あるいはボードに光送信器１と光受信器２を搭載したものである。したがって、光トランスポンダは２つの光ファイバ３−１と３−２を持つ。光ファイバ３−１は光信号を送信するために用い、光ファイバ３−２は光信号を受信するために使用する。光トランスポンダ７００の光送信器１と光受信器２は、上述の各実施の形態の適宜のものを用いることができる。つまり、図１５では、図１の光送信器と光受信器の構成を示しているが、光受信器としては、図６、７、８、１０の光受信器２を用いても良い。
【００５７】
３．第３の実施の形態
第３の実施の形態を図１６を参照して説明する。図１６は、第３の実施の形態の波長多重通信システム全体の構成図である。このシステムは複数のディジタル情報信号を波長多重送信装置８００で波長多重信号に変換して送信し、この波長多重信号は伝送路である光ファイバ３を介して波長多重受信装置９００に伝送され、元の複数のディジタル情報信号が復元される光通信システムである。波長多重送信装置は、複数のディジタル情報信号を入力端子４−ｉ（ｉ＝１、２、．．．ｎ）から入力する。入力されたディジタル情報信号はそれぞれ、光送信器１−ｉ（ｉ＝１、２、．．．ｎ）で位相変調された光信号に変換される。ここで光送信器１−ｉ（ｉ＝１、２、．．．ｎ）から出力される光信号の波長は互いに異なる波長λ１、λ２、．．．λｎであり、光送信器１−ｉ（ｉ＝１、２、…ｎ）の構成は、第１の実施形態で述べた光送信器である。つまり、光送信器１−ｉはそれぞれ、図１の光送信器１である。各光送信器１からの出力光は、光合波器３００で波長多重され、波長多重光信号として波長多重送信装置８００から伝送路である光ファイバ３に送信される。
伝送路である光ファイバ３を伝播した前記波長多重光信号は、波長多重受信装置９００に入射する。
【００５８】
波長多重受信装置９００は、遅延干渉部２０と２台の光分波器４００−１と４００−２と、バランス型光受信部２００−ｉ（ｉ＝１、２、．．．ｎ）を有する。ここで遅延干渉部２０は、図５の構成である。遅延干渉部の透過特性は図１３に示すとおりであり、２つの出力ポートからの光パワは
【数３３】
0005404925.tif 000034
なる周波数依存性を示す。つまり周期的な周波数依存性を示す。ここでこの周期性を活かすと、各光送信器の光周波数ｆ１（＝ｃ／λ１）、ｆ２（＝ｃ／λ２）、．．．ｆｎ（＝ｃ／λｎ）が式（６）のｆｃと同じ関係を満たすことができる。なお、ｃは光速度である。たとえば、通常波長多重信号の光周波数間隔は、５０ＧＨｚ間隔あるいは１００ＧＨｚ間隔である。式（６）のｍを偶数のみ、あるいは奇数のみ使う場合は、遅延干渉部２０の遅延時間τはそれぞれ２０ｐｓ、１０ｐｓである。式（６）のｍを偶数と奇数の両方を使うと、遅延時間τはそれぞれ１０ｐｓ、５ｐｓである。
ここで、さらに式（１１）と式（１２）の関係がほぼ満たされると、遅延干渉部２０の２つの出力ポートからは、波長多重信号の各波長のキャリア光と上側帯波、あるいはキャリア光と下側帯波、つまり、強度変調に変換された各波長の光信号が波長多重された形で出力される。
【００５９】
この強度変調された２つの波長多重信号はそれぞれ光分波器４００−１と４００−２で各波長の強度変調された光信号に分波される。２台の光分波器４００−１と４００２の出力光信号で同じ波長の光は、キャリア光と上側帯波、キャリア光と下側帯波から構成されている。この光は、小信号近似では、式（１４）と（１５）においてキャリア周波数ｆｃが各光送信器の光周波数ｆ１（＝ｃ／λ１）、ｆ２（＝ｃ／λ２）、．．．ｆｎ（＝ｃ／λｎ）のいずれかの場合である。２台の光分波器４００−１と４００２の同じ波長λｉ（ｉ＝１、２、．．．ｎ）の出力光信号をバランス型光受信部２００−ｉ（ｉ＝１、２、．．．ｎ）に入射させる。ここでバランス型光受信部２００−ｉ（ｉ＝１、２、．．．ｎ）はそれぞれ、第１の実施形態の適宜のものを用いることができる。具体的には、図１、６、７、８及び１０のいずれかのバランス型光受信部２００を用いることができる。バランス型光受信部２００−ｉ（ｉ＝１、２、．．．ｎ）では、受信した光信号を復調し、それぞれの出力端子５−ｉ（ｉ＝１、２、．．．ｎ）から復調した情報データを出力する。
以上が、第３の実施形態の波長多重通信システムである。もちろん，波長の異なる実施例１の送信器，受信機を複数用意し，合波器，分波器でそれらの信号を合波，分波して波長多重システムを構成することもできる（この場合の構成は図18となる）のは言うまでもない。
【００６０】
なお、第３の実施形態の波長多重通信システムの上記説明では、波長多重送信装置８００と波長多重受信装置９００が別の装置として記述しているが、同一の波長多重装置の中に前記の波長多重送信装置８００と波長多重受信装置９００の機能を実現した場合も別の実施形態としてありうるのは言うまでも無い。さらにこの場合、光送信器１−ｉ（ｉ＝１、２、．．．ｎ）とバランス型光受信部２００−ｉ（ｉ＝１、２、．．．ｎ）が同一の筺体あるいはボードに搭載されたいわゆるトランスポンダを用いて構成する実施形態があるのは、言うまでも無い。
【産業上の利用可能性】
【００６１】
本発明は、例えば、光通信システムに利用可能である。
【符号の説明】
【００６２】
１、１−１、１−２、１−ｎ、５００：光送信器
２：光受信器
３、３−１、３−２：光ファイバ
４、４−１、４−２、４−ｎ：入力端子
５、５−１、５−２、５−ｎ：出力端子
１０：ドライバアンプ
１１：位相変調器
１２：レーザ
２０、２０―１、２０―２、２０―ｎ：遅延干渉部
２１、２２：光カプラ部
１００：送信信号処理部
１１０、２１２：シリアルーパラレル（Ｓ／Ｐ）変換部
１２０：サブキャリア変調部
１３０：逆高速フーリエ変換（ＦＦＴ）部
１４０、２４２：パラレルーシリアル（Ｐ／Ｓ）変換部
１５０：ディジタルーアナログ（Ｄ／Ａ）変換部
２００、２００−１、２００−２、２００−ｎ：バランス型光受信部
２０１、２０３：フォトダイオード
２０１−１：バランス型フォトダイオード
２０２、２０４：プリアンプ部
２０４−１：差動型プリアンプ部
２０５、２０６：アナログーディジタル（Ａ／Ｄ）変換部
２０７、２０８：位相抽出部
２０９：光フロントエンド部
２１０、２２０：受信信号前処理部
２１３：高速フーリエ変換（ＦＦＴ）部
２１４：位相回転部
２３０：引き算部
２４０：受信信号後処理部
２４１：サブキャリア復調部
２５０、２６０：位相回転部
３００：光合波器
４００−１、４００−２：光分波器
５０１：光変調器
６００：直接検波光受信器
７００：光トランスポンダ
８００：波長多重送信装置
９００：波長多重受信装置
【図１】
0005404925.tif 000035
【図２】
0005404925.tif 000036
【図３】
0005404925.tif 000037
【図４】
0005404925.tif 000038
【図５】
0005404925.tif 000039
【図６】
0005404925.tif 000040
【図７】
0005404925.tif 000041
【図８】
0005404925.tif 000042
【図９】
0005404925.tif 000043
【図１０】
0005404925.tif 000044
【図１１】
0005404925.tif 000045
【図１２】
0005404925.tif 000046
【図１３】
0005404925.tif 000047
【図１４】
0005404925.tif 000048
【図１５】
0005404925.tif 000049
【図１６】
0005404925.tif 000050
【図１７】
0005404925.tif 000051
【図１８】
0005404925.tif 000052